(57)【特許請求の範囲】
【請求項１】
前板部と、前板部に対面して位置する背板部と、前板部と背板部との間の底側に位置し、前後方向中央部において幅方向に延在する取出口を有する底板部と、前記前板部及び背板部の幅方向両端部において各々前板部と背板部との間に位置する一対の側板部とを有する衛生薄葉紙ディスペンサーであって、
各側板部の内面に衛生薄葉紙の束の幅方向側面を案内する案内体が設けられ、
これらの案内体は、側板部に対して取り付けられる第一面部と、第一面部と対面する第二面部と、第一面部及び第二面部の両端部を繋ぐ第三面部と第四面部とを有し、かつ、第三面部及び第四面部が第一面部側の縁を基端縁として各々が起立状態と倒伏状態とが選択可能とされ、
第三面部及び第四面部がともに起立した状態において第一面部と第二面部とが離間した角筒型形状をなし、第三面部及び第四面部がともに倒伏した状態において第二面部が第一面部に重なる偏平形状をなし、その角筒型形状と偏平形状の選択による案内体間の距離の相違により、異なる幅の衛生薄葉紙の束の幅方向側面を案内可能にした、ことを特徴とする衛生薄葉紙ディスペンサー。
【請求項２】
案内体は、第二面部の底側に取出口方向に延出する延出部を有し、
その延出部の底側端部が、対となる案内体側に向かう方向に折曲げ自在な舌片部とされ、この舌片部の折曲げによって薄葉紙の束の底側面の支持が可能となる、請求項１記載の衛生薄葉紙ディスペンサー。
【請求項３】
前板部と、前板部に対面して位置する背板部と、前板部と背板部との間の底側に位置し、前後方向中央部において幅方向に延在する取出口を有する底板部と、前記前板部及び背板部の幅方向両端部において各々前板部と背板部との間に位置する一対の側板部とを有する衛生薄葉紙ディスペンサーの各側板部の内面に取り付けて衛生薄葉紙の束の幅方向側面を案内する案内体であって、
側板部に対して取り付けられる第一面部と、第一面部と対面する第二面部と、第一面部及び第二面部の両端部を繋ぐ第三面部と第四面部とを有し、かつ、第三面部及び第四面部が第一面部側の縁を基端縁として各々が起立状態と倒伏状態とが選択可能とされ、
第三面部及び第四面部がともに起立した状態において第一面部と第二面部とが離間した角筒型形状をなして側板部内面から案内体が起立した状態となり、第三面部及び第四面部がともに倒伏状態において第二面部が第一面部に重なる偏平形状をなして側面部内面に案内体が倒伏した状態となり、その角筒型形状と偏平形状の選択による案内体間の距離の相違により、異なる幅の衛生薄葉紙の束の幅方向側面を案内可能にする、ことを特徴とする衛生薄葉紙ディスペンサーに用いる案内体。
【請求項４】
折曲げによって第三面部及び第四面部の縁となる易折曲げ線を複数有し、この易折曲げ線の選択によって、第三面部及び第四面部の基端縁からの起立長が選択される、請求項３記載の衛生薄葉紙ディスペンサーに用いる案内体。
【請求項５】
第二面部の第三面部及び第四面部に連接する方向と直交する方向に延出部を有し、その延出部の線端部に折曲げ自在な舌片部を有する、請求項３又は４記載の衛生薄葉紙ディスペンサーに用いる案内体。
【発明の詳細な説明】
【技術分野】
【０００１】
本発明は、衛生薄葉紙ディスペンサー及び衛生薄葉紙ディスペンサーに用いる案内体に関する。
【背景技術】
【０００２】
複数枚の衛生薄葉紙を折り畳んで積層した束を、交換可能に内部に収め、底部の取出口から一枚ずつ引き出せるようにする壁掛けタイプの衛生薄葉紙ディスペンサーがある。
【０００３】
このようなディスペンサーに用いられる衛生薄葉紙は、手洗い後の手拭に用いられるペーパータオルが代表的である。ペーパータオルを収納するための壁掛けタイプのディスペンサーは、例えば、洗面所やトイレ等によく設置されている。
【０００４】
ところで、ペーパータオルは、大判、中判、小判やＳ，Ｍ、Ｌサイズ又は小サイズ、中サイズ、大サイズなど製造業者において呼び方や、それら種別毎の大きさに若干の差はあるものの、概ね三規格程度の大きさに分けられていたが、近年、衛生意識の高まりから、ペーパータオルに対するコスト意識やニーズの多様化が進み、例えば、幼稚園や小学校等において低年齢層が使いやすいサイズが求められるなど、小小判又はＳＳサイズ等ともいえるより小さいサイズのペーパータオルが市場に供されるようになり、その消費量が増加している。
【０００５】
しかし、従来の衛生薄葉紙ディスペンサーは、大判用、中判用、小判用等のペーパータオルの束の大きさに合わせたもの、つまりその束の大きさ専用に作られているものが多く、このような衛生薄葉紙ディスペンサーでは、衛生薄葉紙ディスペンサーが想定するペーパータオルより小さいサイズのペーパータオルの束をセットすると、束を支持するガイド機構が機能しなかったり、ペーパータオルの大きさに対して、取出口の大きさが大きかったりすることなどから、衛生薄葉紙ディスペンサー内に束が装填されている状態の特に残枚数が少なくなったときに複数枚が取り出し口から引き出され、安定して一枚ずつ取り出すことができない。
【０００６】
このため、大判、中判、小判、それぞれに対応したペーパータオル用のディスペンサーの設置者や所有者が、それぞれの大きさに対応したディスペンサーより小さいペーパータオルに移行しようとすると、ディスペンサーそのものを新たに購入して設置替えする必要があり、コストや手間がかかるという問題がある。
【先行技術文献】
【特許文献】
【０００７】
【特許文献１】特許第４８４７６２６号公報
【特許文献２】特許第４６１５５５０号公報
【特許文献３】特許第４１８０３３４号公報
【特許文献４】特許第５５７９５１９号公報
【特許文献５】特許第５２７９２９３号公報
【特許文献６】特許第４２２８０８３号公報
【発明の概要】
【発明が解決しようとする課題】
【０００８】
そこで、本発明の主たる課題は、異なる大きさの衛生薄葉紙の束に対応できる衛生薄葉紙ディスペンサー及び衛生薄葉紙ディスペンサーに取り付けることで、ディスペンサーを異なる大きさの衛生薄葉紙の束に対応できるようにする案内体を提供することにある。
【課題を解決するための手段】
【０００９】
上記課題を解決した本発明は以下のとおりである。
〔請求項１記載の発明〕
前板部と、前板部に対面して位置する背板部と、前板部と背板部との間の底側に位置し、前後方向中央部において幅方向に延在する取出口を有する底板部と、前記前板部及び背板部の幅方向両端部において各々前板部と背板部との間に位置する一対の側板部とを有する衛生薄葉紙ディスペンサーであって、
各側板部の内面に衛生薄葉紙の束の幅方向側面を案内する案内体が設けられ、
これらの案内体は、側板部に対して取り付けられる第一面部と、第一面部と対面する第二面部と、第一面部及び第二面部の両端部を繋ぐ第三面部と第四面部とを有し、かつ、第三面部及び第四面部が第一面部側の縁を基端縁として各々が起立状態と倒伏状態とが選択可能とされ、
第三面部及び第四面部がともに起立した状態において第一面部と第二面部とが離間した角筒型形状をなし、第三面部及び第四面部がともに倒伏した状態において第二面部が第一面部に重なる偏平形状をなし、その角筒型形状と偏平形状の選択による案内体間の距離の相違により、異なる幅の衛生薄葉紙の束の幅方向側面を案内可能にした、ことを特徴とする衛生薄葉紙ディスペンサー。
【００１０】
〔請求項２記載の発明〕
案内体は、第二面部の底側に取出口方向に延出する延出部を有し、
その延出部の底側端部が、対となる案内体側に向かう方向に折曲げ自在な舌片部とされ、この舌片部の折曲げによって薄葉紙の束の底側面の支持が可能となる、請求項１記載の衛生薄葉紙ディスペンサー。
【００１１】
〔請求項３記載の発明〕
前板部と、前板部に対面して位置する背板部と、前板部と背板部との間の底側に位置し、前後方向中央部において幅方向に延在する取出口を有する底板部と、前記前板部及び背板部の幅方向両端部において各々前板部と背板部との間に位置する一対の側板部とを有する衛生薄葉紙ディスペンサーの各側板部の内面に取り付けて衛生薄葉紙の束の幅方向側面を案内する案内体であって、
側板部に対して取り付けられる第一面部と、第一面部と対面する第二面部と、第一面部及び第二面部の両端を繋ぐ第三面部と第四面部とを有し、かつ、第三面部及び第四面部が第一面部側の縁を基端縁として各々が起立状態と倒伏状態とが選択可能とされ、
第三面部及び第四面部がともに起立した状態において第一面部と第二面部とが離間した角筒型形状をなして側板部内面から案内体が起立した状態となり、第三面部及び第四面部がともに倒伏状態において第二面部が第一面部に重なる偏平形状をなして側面部内面に案内体が倒伏した状態となり、その角筒型形状と偏平形状の選択による案内体間の距離の相違により、異なる幅の衛生薄葉紙の束の幅方向側面を案内可能にする、ことを特徴とする衛生薄葉紙ディスペンサーに用いる案内体。
【００１２】
〔請求項４記載の発明〕
折曲げによって第三面部及び第四面部の縁となる易折曲げ線を複数有し、この易折曲げ線の選択によって、第三面部及び第四面部の基端縁からの起立長が選択される、請求項３記載の衛生薄葉紙ディスペンサーに用いる案内体。
【００１３】
〔請求項５記載の発明〕
第二面部の第三面部及び第四面部に連接する方向と直交する方向に延出部を有し、その延出部の線端部に折曲げ自在な舌片部を有する、請求項３又は４記載の衛生薄葉紙ディスペンサーに用いる案内体。
【発明の効果】
【００１４】
以上の本発明によれば、異なる大きさの衛生薄葉紙の束に対応できる衛生薄葉紙ディスペンサー及び衛生薄葉紙ディスペンサーに取り付けることで、ディスペンサーを異なる大きさの衛生薄葉紙の束に対応できるようにする案内体が提供される。
【図面の簡単な説明】
【００１５】
【図１】実施形態の衛生薄葉紙ディスペンサーの正面図である。
【図２】実施形態の衛生薄葉紙ディスペンサーの側面図であり、開閉構造を説明する図である。
【図３】実施形態の衛生薄葉紙ディスペンサーの縦断面図である。
【図４】実施形態の衛生薄葉紙ディスペンサーのペーパータオル装填時の縦断面図である。
【図５】実施形態の衛生薄葉紙ディスペンサーの横断面図である。
【図６】実施形態の案内体及びその変形を説明するための斜視図である。
【図７】実施形態の衛生薄葉紙ディスペンサーの他の横断面図である。
【図８】実施形態の案内体の展開状態を示す平面図である。
【図９】実施形態の他の案内体の斜視図である。
【図１０】実施形態の別の案内体の斜視図である。
【発明を実施するための形態】
【００１６】
次いで、本発明の実施の形態を図１〜１０を参照しながら以下に詳述する。
【００１７】
本形態に係る衛生薄葉紙ディスペンサー１（以下、単にディスペンサーともいう）は、その素材が例えばＡＢＳ樹脂等の合成樹脂や金属素材等で形成された剛性のある筐体１０
【００１８】
の内部に、略直方体形状の衛生薄葉紙２の束２１（２２）を収め、底板部１４に形成された取出口１１から、束２１（２２）を構成する衛生薄葉紙２を一枚ずつ引き出すようにして使用される。
【００１９】
衛生薄葉紙２は、この種のディスペンサー１に用いられるものであれば、特に限定されるものではない。手拭き用途が主であるペーパータオルが代表的であるが、その他、清掃用途を主とするワイプ、工業製品や機具、用具の拭き取りを主とするウェス、厨房での使用を主とするキッチンペーパー、食材に使用することを主とするミートペーパーなどが例示される。
【００２０】
衛生薄葉紙２の束２１（２２）は、方形の衛生薄葉紙２が二つ折りされ、その折り返し片の縁が上下に隣接する衛生薄葉紙の折り返し内面に位置するようにして、互い違いに重なり合いつつ積層されたものであり、最底位に位置する一枚の折り返し片２Ａを取出口１１から引き出すと、その直上で隣接する他の一枚の折り返し片２Ｂが、下方に引きずられて取出口１１から露出される。本発明における束２１（２２）の幅方向とは、衛生薄葉紙２の折り返し縁２Ｅに沿う方向である。したがって、本発明における衛生薄葉紙２の束２１（２２）の幅方向側面２１Ａ（２２Ａ）とは、衛生薄葉紙２の折り返し縁２Ｅではない縁が並ぶ積層面である。
【００２１】
前記筐体１０は、前板部１２と、前板部１２に対面して位置する背板部１３と、前板部１２と背板部１３との間の底側に位置し、前後方向中央部において幅方向に延在する取出口１１を有する底板部１４と、前記前板部１２及び背板部１３の幅方向両端部において各々前板部１２と背板部１３との間に位置する一対の側板部１５，１５とを有している。実施形態のディスペンサー１では、側板部１５は、前板部１２の幅方向両端から背板部側に向かって延出する前板側部分１５Ａと、背板部１３の幅方向両端から前板部側に向かって延出する背板側部分１５Ｂとを有し、これらの一部が重なり合って構成されている。但し、本発明に係る衛生薄葉紙ディスペンサー１における側板部１５は、この形態に限定される訳ではない。前板部１２と背板部１３の幅方向両端縁を繋ぐ一枚板状であってもよい。また、前板部側部分１５Ａ、背板側部分１５Ｂの何れかのみを有するような形態であってもよい。図示の形態では、前記前板部１２が、図示されない軸を介してハッチ式に取付けられ、図２中の一点鎖線で示すようにその前板部１２を手前に引き下げることにより、筐体１０が前面開放状態となり、筺体内部に衛生薄葉紙２の束２１（２２）が収納可能となる。
【００２２】
この実施形態のディスペンサー１は、一対の側板部１５，１５の各々対面する内面に衛生薄葉紙２の束２１（２２）の幅方向側面２１Ａ（２２Ａ）を案内する案内体３，３が設けられている。なお、この案内体３は、側板部１５に対して、着脱自在としてもよい。また、この案内体３は、ディスペンサー１とは別に供してもよい。つまり、側板部１５に予め案内体３を設けたディスペンサー１としてもよいし、ディスペンサー１に同梱して使用者が適宜に側板部１５に設けるようにしてもよい。また、案内体３のみを入手して既設の衛生薄葉紙ディスペンサー１の側板部１５に設けるようにしてもよい。
【００２３】
この案内体３は、特に、図５〜図７に示すように、第一面部３１と、第一面部３１と対面する第二面部３２と、第一面部３１及び第二面部３２の両端部を繋ぐ第三面部３３と第四面部３４とを有しており、前記第一面部３１が接着剤や両面粘着テープ等の固定手段３５を介して側板部１５に対して取り付けられる。図示の形態では、背板側部分１５Ｂに固定されている。なお、案内体３は、粘着剤等ではなく係止構造によって側板部１５に係合するようにして取り付けてもよい。
【００２４】
この案内体３は、特に図６に示すように、第三面部３３及び第四面部３４が第一面部３１側の縁を基端縁３３ａ，３４ａとして各々が起立状態と倒伏状態とが選択可能となっている。このため、図５に示すように、第三面部３３及び第四面部３４ともに起立した状態においては、第一面部３１と第二面部３２とが離間した角筒型形状をなして側板部内面から案内体３が凸となる起立した状態となり、第三面部３３及び第四面部３４がともに倒伏状態においては、図７に示すように、第二面部３２が第一面部３１に重なる偏平形状をなして側面部内面に倒伏した状態となる。なお、図示の形態では第四面部３４が第一面部３１に重なるように倒伏する態様であるが、第三面部３３が第一面部３１に重なるように倒伏する態様であってもよい。
【００２５】
このように案内体３は、角筒型形状と偏平形状とが選択可能となっているため、この案内体３が各々側板部１５，１５に設けられている実施形態のディスペンサー１はその内部において、案内体３が角筒型形状である時の案内体間の距離Ｌ１、より具体的には第二面部間の離間距離Ｌ１と、偏平形状である時の案内体間の距離Ｌ２とが相違する。したがって、このディスペンサー１は、案内体間の距離の相違により、セット及び案内可能となる衛生薄葉紙２の束２１（２２）が異なる。つまり、各々の案内体３が偏平状態となっている際には、偏平状態時における案内体間の距離Ｌ２と概ね同じ長さの、幅方向長さを有する衛生薄葉紙２の束２２がセット及び案内可能となり、各々の案内体３が角筒型状態となっている際には、角筒型形状時における案内体間の距離Ｌ１と概ね同じ長さの、幅方向長さを有する衛生薄葉紙２の束２１がセット及び案内可能となる。このように本実施形態の案内体３が設けられているディスペンサー１では、その案内体３の形状に応じた幅方向長さの束２１（２２）がセット及び案内可能となる。
【００２６】
選択可能となる案内体間の距離Ｌ１，Ｌ２は、側板部間の距離と第三面部３３及び第四面部３４の起立長さＬ３によって定まるが、具体的には、使用を想定する衛生薄葉紙２の束２１（２２）の幅方向長さに応じて適宜に定めればよい。なお、衛生薄葉紙２の束２１（２２）の幅方向長さＬ４は、ペーパータオルを例にとれば、規格によって異なるものの、大判、中判などと称されるペーパータオルによる束で２１０〜２３０ｍｍ程度、小判などと称されるペーパータオルによる束で２０５〜２２０ｍｍ程度、近年需要が増加している小小判で１５５〜１６５ｍｍ程度である。したがって、例えば、中判用として製造されたディスペンサーに案内体３を設けるにあたって、或いは、中判用の筐体１０に案内体を設けたディスペンサー１において、角筒型形状時における案内体間の距離Ｌ１を小小判に対応する長さになるようにすれば、案内体３が偏平状態の時に中判の衛生薄葉紙の束がセット及び案内可能となり、案内体３が角筒型形状の際に小小判の衛生薄葉紙の束がセット及び案内可能となる。なお、衛生薄葉紙２の束２１（２２）の幅方向長さＬ４と案内体間の距離Ｌ１、Ｌ２は完全に一致している必要はない。むしろ、衛生薄葉紙２の束２１（２２）の幅方向長さＬ４と案内体間の距離Ｌ１，Ｌ２が完全に一致していると、衛生薄葉紙２の束２１（２２）が案内体間で詰まるおそれがある。案内体３の第二面部３２による衛生薄葉紙２の束２１（２２）の幅方向側面２１Ａ，２１Ｂの案内が、効果的に行われるようにするには、案内体３の第二面部３２と衛生薄葉紙２の束２１（２２）の幅方向側面２１Ａ（２１Ｂ）との間に１．５〜２．５ｍｍの隙間があるのがよい。したがって、角筒形状時における案内体間の距離、案内体３における第三面部３３及び第四面部３４の起立時長さＬ３は、衛生薄葉紙２の束２１（２２）の幅方向長さＬ４にこの隙間の長さを加えて設計するのがよい。
【００２７】
他方で、実施形態のディスペンサー１は、側板部１５に設けられている案内体３が、第二面部３２の底側にディスペンサー１の取出口１１の方向に延出する延出部３２Ａを有しており、その延出部３２Ａの先端部が、対となる案内体側に向かう方向に折曲げ自在な舌片部３２Ｂとなっている。この舌片部３２Ｂの折曲げによって衛生薄葉紙２の束２１（２２）の底側面が支持され、取出口１１にかかる束２１（２２）の荷重が軽減されるとともに、束２１（２２）の下方側を底部側へ適切に案内し、束最下位の衛生薄葉紙がスムーズに分離されて取出口１１から引き出せるようになる。舌片部３２Ｂの突出長Ｌ５は、７〜１５ｍｍとするのが望ましい。突出長さＬ５が短すぎると束２１（２２）の底側の支持が十分ではなくなり、反対に突出長さＬ５が長すぎると取出口１１からの衛生薄葉紙２の取り出し性が悪化する。また、舌片部３２Ｂを折曲げるにあたっては、その舌片部３２Ｂが水平方向に対して底側に０〜４５°の角度（図中∠Ａ）となるようにするのが望ましい。０°未満つまり、舌片部３２Ｂの先端が天面側に向かうようであったり、４５°超となると束の底側の支持が不十分となるおそれがある。
【００２８】
ここで、案内体３における第三面部３３及び第四面部３４の起立状態と倒伏状態との選択、さらに舌片部３２Ｂの折曲げ自在性は、例えば、第一面部３１と第三面部３３及び第四面部３４とを蝶番に連結するなど機械的連結構造により達成することができるほか、特に本発明においては案内体３を構成する素材が有する可塑性や可撓性などの変形性を利用したものであるのが望ましい。図示の形態は、案内体３をポリプロピレン樹脂などの可塑性の合成樹脂材のブランクシートを折り曲げ組立てることにより形成し、その可塑性変形によって第三面部３３及び第四面部３４が起立状態と倒伏状態とを選択できるようにしている。また、舌片部３２Ｂを折曲げ自在にしている。
【００２９】
また、図示の形態では、図８に示す形状の可塑性剛性樹脂材のブランクシート３Ａを用い、その第一面部に連接する糊代部３１Ａを介して第四面部に接合するようにして、折り曲げ組立てることで、第三面部３３及び第四面部３４が起立状態と倒伏状態とを選択でき、舌片部３２Ｂを折曲げ自在にする案内体を形成している。このようにブランクシートを折曲げ組み立てて案内体３を形成するのであれば、図１０に示すように、角筒型形状の筒開口部３Ｂに差し込む差し込み片３Ｃを形成して、角筒型形状時における形状安定性を向上させるようにしてもよい。なお、ブランクシート３Ａの形状は、図８の形態に限定されない。
【００３０】
このように案内体３をシート状の可塑性合成樹脂材を折曲げ組立てたものとすれば、案内体３の形成及び変形がともに容易かつコスト安に達成できる。可塑性の合成樹脂材のシートは、ポリエチレン、ポリプロピレン、ポリスチレン、ポリ塩化ビニル、ＡＢＳ樹脂、ポリエチレンテレフタレート等のシートが例示できる。その厚みは、可塑性により適宜に選択できる。案内体をこのような可塑性の合成樹脂材のシートを折曲げ組立てた物とする場合、特に適するは、ポリプロピレンであり、その厚みは０．３〜１．０ｍｍである。これらの素材及び厚みであると、特に可塑性変形のみならず適度な可撓性をも有するため、第三面部３３及び第四面部３４が起立した状態、舌片部３２Ｂが折曲げられた状態において、案内体自身や舌片部３２Ｂが弾性変形して、束２１（２２）の最下位の衛生薄葉紙２がよりスムーズに取出口１１から引き出せるようになるとともに、例えば、手などの身体に当たった場合でも剛性の高いものより怪我をするおそれが小さくなる。
【００３１】
また、本実施形態に係る案内体３は、特に図９に示すように、折曲げによって第三面部３３及び第四面部３４の縁となる易折曲げ線３３ａ（３３ｂ），３４ａ（３４ｂ）を複数有するようにして、この易折曲げ線３３ａ（３３ｂ），３４ａ（３４ｂ）の選択によって、第三面部３３及び第四面部３４の起立長Ｌ５が選択されるようにしてもよい。このようにすると、特に既設のディスペンサーに、案内体３を設けて用いる場合に、一つの案内体３で既存のディスペンサーに、そのディスペンサーが想定する衛生薄葉紙の束より、より小さい幅方向長さの束を複数選択することができるようになる。
【００３２】
以上のとおり本発明に係る案内体３が設けられた衛生薄葉紙ディスペンサー１は、異なる大きさの衛生薄葉紙２の束２１（２２）に対応でき、また、その案内体３は、衛生薄葉紙ディスペンサーに取り付けることで、ディスペンサーを異なる大きさの衛生薄葉紙２の束２１（２２）に対応できるようにする。
【符号の説明】
【００３３】
１…衛生薄葉紙ディスペンサー、２…衛生薄葉紙、２Ａ…束の最底位に位置する一枚の衛生薄葉紙の折り返し片、２Ｂ…束の最底位に位置する一枚の衛生薄葉紙の直上の衛生薄葉紙の折り返し片、２Ｅ…衛生薄葉紙の折り返し縁、２１，２２…衛生薄葉紙の束、２１Ａ，２２Ａ…衛生薄葉紙の束の幅方向側面、１０…筐体、１１…取出口、１２…前板部、１３…背板部、１４…底板部、１５…側板部、１５Ａ…前板側部分、１５Ｂ…背板側部分、３…案内体、３Ａ…案内体のブランクシート、３１…第一面部、３１Ａ…糊代部、３２…第二面部、３２Ｂ・・・舌片部、３３…第三面部、３４…第四面部、３５…固定手段、３３ａ，３４ａ，３３ｂ，３４ｂ…基端縁、折曲げ線、Ｌ１…案内体が角筒型形状時の案内体間の距離、Ｌ２…案内体が偏平型形状時の案内体間の距離、Ｌ３…第三面部及び第四面部の起立長さ、Ｌ４…束の幅方向長さ、３２Ａ…延出部、Ｌ５…舌片部の長さ、３Ｂ…筒開口部、３Ｃ…差し込み片。
【図１】
0006666187.tif 000002
【図２】
0006666187.tif 000003
【図３】
0006666187.tif 000004
【図４】
0006666187.tif 000005
【図５】
0006666187.tif 000006
【図６】
0006666187.tif 000007
【図７】
0006666187.tif 000008
【図８】
0006666187.tif 000009
【図９】
0006666187.tif 000010
【図１０】
0006666187.tif 000011